(57)【要約】【課題】鎖樋ユニット同士の連結・分離作業を容易にし、鎖樋ユニットを構成する各部材の係合、固定が堅固で、風等の外力による揺動、ユニット同士の分離等を抑制しうる鎖樋ユニットを提供する。【解決手段】本発明は、鎖樋１を構成する上下に複数連結可能な鎖樋ユニット２であって、筒状のカバー本体と、該カバー本体の下端部から内方へ張り出す係止壁と、他の鎖樋ユニット２を下方に吊下する下鎖部５とを具備する飾りカバー部材３と、他の鎖樋ユニット２の下鎖部５に連結させる連結部と、該連結部から下方に延び互いに接近又は離間する方向に弾性変形可能な複数の脚部と、脚部の下端部に形成された係止部とを具備する上鎖部材４とを有し、上鎖部材４が、係止部を係止壁の下面に係止させて、飾りカバー部材３に着脱自在に装着されていることを特徴とする。【選択図】図１
2010285830.tif 000002
【特許請求の範囲】
【請求項１】
鎖樋を構成する上下に複数連結可能な鎖樋ユニットであって、
筒状のカバー本体と、該カバー本体の下端部から内方へ張り出す係止壁と、他の鎖樋ユニットを下方に吊下する下鎖部とを具備する飾りカバー部材と、
他の鎖樋ユニットの前記下鎖部に連結させる連結部と、該連結部から下方に延び互いに接近又は離間する方向に弾性変形可能な複数の脚部と、該脚部の下端部に形成された係止部とを具備する上鎖部材とを有し、
前記上鎖部材が、前記係止部を前記係止壁の下面に係止させて、前記飾りカバー部材に着脱自在に装着されていることを特徴とする鎖樋ユニット。
【請求項２】
請求項１に記載の鎖樋ユニットにおいて、
前記係止壁には、その張り出した先端部から基端部方向へ向けて切欠部が形成されると共に、該切欠部に前記脚部が嵌合され、
前記係止部は、前記脚部から、前記カバー本体の壁面に略沿う２方向に突出するように形成されていることを特徴とする鎖樋ユニット。
【請求項３】
請求項２に記載の鎖樋ユニットにおいて、
前記カバー本体、係止壁、下鎖部は、一体成形され、かつ、
前記下鎖部は、下端部にＵ字形状に形成された吊下部を備えると共に、その上端部が前記カバー本体に連設されていることを特徴とする鎖樋ユニット。
【請求項４】
請求項１から３のいずれかに記載の鎖樋ユニットにおいて、
前記カバー本体の内壁面には、前記脚部が位置する部分に、上下方向に延在して該脚部と係合可能な係合溝が形成されていることを特徴とする鎖樋ユニット。
【請求項５】
請求項１から４のいずれかに記載の鎖樋ユニットにおいて、
前記連結部は、上端が逆Ｕ字型形状に形成され、該逆Ｕ字型形状の下端部に互いに対向する方向に突出する係止突起を備えていることを特徴とする鎖樋ユニット。
【発明の詳細な説明】
【技術分野】
【０００１】
本発明は、鎖樋を構成する上下に複数連結自在な鎖樋ユニットに関する。
【背景技術】
【０００２】
雨水を地上に流す竪樋のうち、家屋等の玄関先や軒先の外部又は屋内から目に付きやすい場所においては、意匠上の観点から軒樋から吊るした鎖に雨水を伝わせる鎖樋が広く用いられる。この鎖樋には、一定間隔に筒状のカップ部材を鎖部材に取り付け、鎖部材を伝う水の飛散防止効果や美観を高めているものがある。従来、このような鎖部材にカップ部材を取り付けた鎖樋としては、下記特許文献１に開示されたものが知られている。
特許文献１に開示された鎖樋は、図７に示すように、カップ部材１０１と鎖部材１０２、１０３とから構成された鎖樋ユニット１００が上下に連結されて構成されている。カップ部材１０１と上鎖部材１０２とは、カップ部材１０１の内壁１０１ａ上部に対向するように設けられた係止用凸部１０４、１０４の溝内に、略半輪形状の上鎖部材１０２の端部１０２ａ、１０２ｂを係止し、また、カップ部材１０１と下鎖部材１０３とは、内壁１０１ａ下部に対向するように設けられた係止用凸部１０４、１０４の溝内に略半輪形状の下鎖部材１０３の端部１０３ａ、１０３ｂを係止することで取り外し可能に連結されている。上鎖部材１０２の端部１０２ａ、１０２ｂは、係止用凸部１０４、１０４の溝内に押し込まれて挟持され、さらに端部１０２ａ、１０２ｂの先端に備えられた球形状の係止用球状部１０５を係止用凸部１０４の下面に係合させることにより、上鎖部材１０２が係止用凸部１０４から抜け出ないように係止されている。下鎖部材１０３の端部１０３ａ、１０３ｂの係止用凸部１０４、１０４との係止についても、上記上鎖部材１０２と係止用凸部１０４との係止と同様になされる。
また、鎖樋ユニット１００同士の連結は、鎖樋ユニット１００の下鎖部材１０３に下方に連結される鎖樋ユニット１００の上鎖部材１０２を引っ掛けるように挿通させた上で、該上鎖部材１０２の端部１０２ａ、１０２ｂをカップ部材１０１の係止用凸部１０４、１０４に係止することにより行う。
【先行技術文献】
【特許文献】
【０００３】
【特許文献１】実開平５−７８２５号公報
【発明の概要】
【発明が解決しようとする課題】
【０００４】
しかしながら、上記鎖樋ユニット１００によると、上下鎖部材１０２、１０３を係止用凸部１０４の溝内に嵌合させるには、上下鎖部材１０２、１０３の端部に局部的な力を加える必要があり、嵌合に一定の要領が必要となって、上下鎖部材１０２、１０３のカップ部材１０１への取り付けが容易に行えず、これらの連結が面倒であるという問題があった。
【０００５】
また、上鎖部材１０２の端部１０２ａ、１０２ｂを、カップ部材１０１に設けた係止用凸部１０４、１０４の溝内に、下鎖部材１０３を、カップ部材１０１に設けた係止用凸部１０４、１０４の溝内にそれぞれ挟持させ、係止用凸部１０４の下面又は上面に係止用球状部１０５を係合させて係止・固定させているのみであるため、風等の外力による上下左右の揺れが生じた場合に、係止用凸部１０４、１０４から上下鎖部材１０２、１０３が外れやすいという問題があった。
【０００６】
またさらに、上方のユニットの下鎖部材１０３と下方の上鎖部材１０２とが自由に動き得る構成であるため、鎖樋ユニット１００の部材同士が互いにぶつかり損傷したり建物等にぶつかって損傷させたりするという問題があった。
【０００７】
本発明は上記事情に鑑みてなされたものであり、鎖樋ユニット同士の連結・分離作業を容易にし、鎖樋ユニットを構成する各部材の係合、固定が堅固で、風等の外力による揺動、ユニット同士の分離等を抑制しうる鎖樋ユニットを提供することを目的とする。
【課題を解決するための手段】
【０００８】
上記目的を達成するために、この発明は以下の手段を提供している。
請求項１の発明は、鎖樋を構成する上下に複数連結可能な鎖樋ユニットであって、筒状のカバー本体と、該カバー本体の下端部から内方へ張り出す係止壁と、他の鎖樋ユニットを下方に吊下する下鎖部とを具備する飾りカバー部材と、他の鎖樋ユニットの前記下鎖部に連結させる連結部と、該連結部から下方に延び互いに接近又は離間する方向に弾性変形可能な複数の脚部と、前記脚部の下端部に形成された係止部とを具備する上鎖部材とを有し、前記上鎖部材が、前記係止部を前記係止壁の下面に係止させて、前記飾りカバー部材に着脱自在に装着されていることを特徴とする。
請求項２の発明は、前記係止壁には、その張り出した先端部から基端部方向へ向けて切欠部が形成されると共に、該切欠部に前記脚部が嵌合され、前記係止部は、前記脚部から、前記カバー本体の壁面に略沿う２方向に突出するように形成されていることを特徴とする。
請求項３の発明は、前記カバー本体、係止壁、下鎖部は、一体成形され、かつ、前記下鎖部は、下端部にＵ字形状に形成された吊下部を備えると共に、その上端部が前記カバー本体に連設されていることを特徴とする。
請求項４の発明は、前記カバー本体の内壁面には、前記脚部が位置する部分に、上下方向に延在して該脚部と係合可能な係合溝が形成されていることを特徴とする。
請求項５の発明は、前記連結部は、上端が逆Ｕ字型形状に形成され、該逆Ｕ字型形状の下端部に互いに対向する方向に突出する係止突起を備えていることを特徴とする。
【発明の効果】
【０００９】
請求項１の発明による鎖樋ユニットによれば、上鎖部材の脚部が互いに接近または離間する方向に弾性変形可能である性質を利用して係止部を係止壁の下面に係合させ、飾りカバー部材に上鎖部材を装着しうるため、飾りカバー部材と上鎖部材との取り付け・取り外しが簡易であるという効果を奏する。
請求項２の発明による鎖樋ユニットによれば、係止壁に、脚部を嵌合可能とする切欠部を有していることにより、上鎖部材をその弾性変形可能な性質を利用して係止部を係止壁下面に係止させる際に、位置決め及び固定が容易になるという効果を奏する。
請求項３の発明による鎖樋ユニットによれば、下鎖部がカバー本体に一体的に形成されているため、鎖樋ユニットを構成する部品点数を減らすことができ、鎖樋ユニットの連結が強固なものとなるという効果を奏する。
請求項４の発明による鎖樋ユニットによれば、カバー本体の内壁に脚部が位置する部分に上下方向に延在する係合溝が存在していることによって、上鎖部材の飾りカバー部材への装着後において、脚部が飾りカバー部材内面に保持されやすく、不用意に周方向に動くのが押さえられ、上鎖部材と飾りカバー部材とが更に外れにくいという効果を奏する。
請求項５の発明による鎖樋ユニットによれば、連結部が所定の大きさの逆Ｕ字型形状に形成され、該Ｕ字型形状の下端部に互いに対向する方向に係止突起が形成されていることにより、挿通させた他の下鎖部と上鎖部材との連結箇所が徒に動かず、鎖樋全体を極力安定的に位置させることができ、ひいては鎖樋が損傷したり、他の建物等や周囲に存在するものに接触して損傷させたりすることを防止することができるという効果を奏する。
【図面の簡単な説明】
【００１０】
【図１】は、本発明の一実施形態として示した鎖樋ユニットを用いて構成した鎖樋の一部の正面図である。
【図２】は、本発明の一実施形態として示した鎖樋ユニットの飾りカバー部材を一部断面視した側面図である。
【図３】は、本発明の一実施形態として示した鎖樋ユニットの飾りカバー部材の平面図である。
【図４】は、本発明の一実施形態として示した鎖樋ユニットの上鎖部材の正面図であり、（ｂ）は、その上鎖部材の側面図である。
【図５】は、本発明の一実施形態として示した鎖樋ユニットの上鎖部材の飾りカバー部材への装着方法を説明した一部断面図である。
【図６】は、本発明の一実施形態として示した鎖樋ユニットに他の鎖樋ユニットを連結させる方法を説明した図である。
【図７】は、従来の鎖樋の平面斜視図である。
【発明を実施するための形態】
【００１１】
以下、図を参照して本発明の一実施形態について説明する。
図１は、本発明による鎖樋ユニットを用いて構成した鎖樋を示すものであり、図１において、符号１は鎖樋、２は鎖樋１を構成する鎖樋ユニットである。
【００１２】
鎖樋ユニット２は、飾りカバー部材３と、飾りカバー部材３に着脱自在に装着された上鎖部材４と、飾りカバー部材３に設けられ、他の鎖樋ユニット２を下方に吊下する下鎖部５とから構成されている。
【００１３】
飾りカバー部材３は、図２、図３に示すように、下端部から上端部に向かって漸次拡開するように形成された筒状のカバー本体６と、このカバー本体６の内壁面６ａの下端部に内方に張り出すように形成された係止壁７とからなっている。
【００１４】
カバー本体６は、その下端部の水平方向の断面形状が円形であり、上方に向かうに従い、漸次その内部の水平断面積が拡開する円筒状に形成されたものである。また、このカバー本体６の上端部は、その断面形状が、星形形状に形成されるとともに、上方に木の葉状に突出する突部８、８・・を備えた形状とされ、その内面に突部８、８・・の最先端に対応する位置に上下方向に延在する係合溝９、９・・が形成されている。
【００１５】
係止壁７は、カバー本体６の下端部の内壁面６ａから、このカバー本体６の内方に張り出すように形成された水平張出部７ａと、この水平張出部７ａの内端から折れ曲がって下方へ垂下する垂下壁部７ｂとからなっている。係止壁７の下端部は、カバー本体６の内腔から連通した開口部１６とされている。
【００１６】
この係止壁７には、前記係合溝９、９・・のうち、互いに対向する係合溝９、９の下方に位置させて２つの切欠部１０が形成されている。
【００１７】
切欠部１０、１０は、水平張出部７ａ、垂下壁部７ｂに亘って形成されたものであり、垂下壁部７ｂにおいて、上下方向に向けて形成されると共に、その下端が開口するように形成されている。また、この切欠部１０は、図３に示すように、水平張出部７ａにおいて、その張り出した先端部から基端部方向へ向けて形成されており、基端部側は後述する脚部４ｃの円形断面の形状に沿うように円弧形状とされている。
この構成において、図２、図５に示すように、内壁面６ａと係止壁７の水平張出部７ａ、垂下壁部７ｂとの間には、溝１７が形成されることになる。
【００１８】
上記のように構成された飾りカバー部材３には、下鎖部５が設けられている。下鎖部５は、断面形状が略円形の棒状体からなるもので、下端にＵ字状の吊下部５ａを有し、この吊下部５ａの上端から互いに離間しつつ上方に延びる上端部５ｂ、５ｂを備えた構成とされている。
【００１９】
この下鎖部５は、その上端部５ｂ、５ｂが前記係止壁７における垂下壁部７ｂの下端部に連設されている。この場合、下鎖部５が垂下壁部７ｂに設けられる位置は、図３に示すように、切欠部１０、１０間方向に直交する方向である。
【００２０】
上記の飾りカバー部材３のカバー本体６、係止壁７及び下鎖部５は、一体成形されたものである。
これら各部材の成形材料としては、例えば、ＡＢＳ、塩化ビニル樹脂等の樹脂を好適に用いることができる。
【００２１】
上鎖部材４は、図４（ａ）、（ｂ）に示すように、下鎖部５と同様に断面円形の棒状体からなるものであって、上端に他の鎖樋ユニット２の下鎖部５に引っ掛ける逆Ｕ字状に形成された連結部４ａを有し、この連結部４ａの下端には、互いに離間しつつ斜め下方へ延びる肩部４ｂ、４ｂが連設され、これら肩部４ｂ、４ｂの下端部には、互いに僅かに接近しつつ下方へ延びる脚部４ｃ、４ｃが連設され、これら脚部４ｃ、４ｃの下端部には、脚部４ｃ、４ｃに直交して水平方向に突出し、図３に示すカバー本体６の下端の内壁面６ａに略沿うように配置される係止部４ｄ、４ｄが形成されている。
また、連結部４ａの下端部には、互いに対向する方向へ突出するように係止突起１５ａ、１５ｂが形成されている。
【００２２】
ここで、前述した切欠部１０は、その幅寸法が脚部４ｃの円形断面の径寸法よりも大き目の寸法とされており、脚部４ｃが水平張出部７ａ及び垂下壁部７ｂに亘る切欠部１０全体に亘って挿入できるように形成され、同切欠部１０の基端部側に至るように構成されている。
脚部４ｃ、４ｃの各下端部に形成された係止部４ｄの突出寸法は、切欠部１０の幅寸法よりも大きく、この係止部４ｄが溝１７に位置したときに切欠部１０からカバー本体６の内壁面６ａに沿って一定寸法突出するする大きさとされている。また、この際、係止部４ｄは、カバー本体６の内壁面６ａに沿うよう、その先端部において内壁面６ａ側の面が面取りされている。
【００２３】
係止部４ｄ、４ｄ間の寸法は、係止壁７の内方に形成される開口部１６の内径寸法よりも大とされている。
また、係止突起１５ａ、１５ｂ間の寸法は、下鎖部５の断面の径よりもやや小とされている。
上記のように構成された上鎖部材４は、脚部４ｃ、４ｃが互いに近接又は離間する方向に弾性変形可能とされている。
【００２４】
次に、上記の上鎖部材４を飾りカバー部材３に装着する方法について、図３、図５を参照して説明する。
【００２５】
まず、上鎖部材４を把持して、図５に示すように、その脚部４ｃ、４ｃを飾りカバー部材３のカバー本体６内に挿入する。
この場合、脚部４ｃ、４ｃは、図３、図５に示す係止壁７に形成された切欠部１０、１０の上方に位置させ、その下端部の係止部４ｄ、４ｄが切欠部１０、１０に向かうように挿入する。
【００２６】
このように、脚部４ｃ、４ｃを挿入すると、その下端部に設けられた係止部４ｄ、４ｄが係止壁７の水平張出部７ａの上面に当接し、それ以上の挿入ができなくなる。図５において、符号Ａは、このときの脚部４ｃ及び係止部４ｄの位置を示している。
【００２７】
ここで、脚部４ｃ、４ｃに外力を加えてこれらを互いに近接する方向に弾性変形させ、係止部４ｄ、４ｄが係止壁７の内方に形成される開口部１６内を下方へ移動できる位置まで変形させる。図５において、Ｂは、この変形させた位置を示している。
【００２８】
次いで、上鎖部材４を下方へ移動させ、弾性変形させていた外力を解いて、係止部４ｄ、４ｄを係止壁７における垂下壁部７ｂの内面に当接させる。この状態において、係止部４ｄ、４ｄは、垂下壁部７ｂの内面に弾性的に付勢された状態で当接している。
【００２９】
そして、更に上鎖部材４を下方へ移動させ、係止部４ｄ、４ｄが垂下壁部７ｂの下方に到った時点で（図５においてＣで示す位置）上鎖部材４全体が弾性復帰し、その下端部が切欠部１０、１０内に嵌合し、係止部４ｄ、４ｄが係止壁７における垂下壁部７ｂの下方に位置する。図５において、Ｄは、この状態を示している。
【００３０】
この状態において、上鎖部材４の全体を上方に引き上げると、脚部４ｃ、４ｃの下端部が切欠部１０、１０に嵌合したまま、係止部４ｄ、４ｄが溝１７内において係止壁７に係止する。
この状態において、上鎖部材４の脚部４ｃ、４ｃは、図３に示すカバー本体６に形成された係合溝９に沿って位置している。
【００３１】
また、連結部４ａは、カバー本体６の上方に突出するように位置している。
一方、上記の鎖樋ユニット２を上鎖部材４と飾りカバー部材３とに解体する場合には、上記と逆順に、飾りカバー部材３に対して、上鎖部材４の全体を下降させ、脚部４ｃ、４ｃを互いに近接する方向に弾性変形させ、係止部４ｄが開口部１６内を通過するように上鎖部材４を上方に引き上げればよい。
【００３２】
次に、鎖樋ユニット２、２同士を連結させ、鎖樋１を設置する方法について説明する。
まず、鎖樋ユニット２、２同士を連結するには、図６に示すように、上方の鎖樋ユニット２の下鎖部５に下方の鎖樋ユニット２の上鎖部材４を脚部４ｃから挿通し、掛ける。この際、係止突起１５ａ、１５ｂの間は、下鎖部５の断面の径より僅かに小寸法とされており、下鎖部５が係止突起１５ａ、１５ｂの間に係合してしまうため、上鎖部材４を下鎖部５の下端部に向かって強く引く。そうすると、上鎖部材４が弾性変形して僅かに拡開して外側方向にやや広がり、係止突起１５ａ、１５ｂが下鎖部５を通過させた後、弾性復帰して元の形状に戻る。このようにして、上鎖部材４の連結部４ａの空間Ｙ内に下鎖部５が位置することになり、上鎖部材４と飾りカバー部材３とが連結される。
【００３３】
このようにして飾りカバー部材３の下鎖部５に連結された上鎖部材４に、前述した要領で飾りカバー部材３をさらに装着し鎖樋ユニット２を組み立て、さらにその鎖樋ユニット２の下鎖部５に上記と同様にして上鎖部材４、飾りカバー部材３を次々に連結、装着し、軒樋から地面までの長さの鎖樋１を組み立てる。この状態において、軒樋の集水部に連結された、鎖樋１を吊下する吊下部材（不図示）とカバー本体６を装着していない上鎖部材４とを連結し、該上鎖部材４と前記のようにして組み立てた鎖樋１の最上部の上鎖部材４が未装着のカバー本体６とを連結する。なお、吊下部材と上鎖部材４との連結方法は、下鎖部５と上鎖部材４との連結方法と同様である。
【００３４】
この状態で、鎖樋１全体の長さが長すぎて地面に到達し鎖樋ユニット２が地面に余っている場合には、前述した要領で最下部の鎖樋ユニット２を地面に合う長さ程度になるよう順次解体して、鎖樋１全体の長さが適当になるように調整する。また、鎖樋１全体の長さが地面に到達せず短い場合には、最下部の鎖樋ユニット２にさらに鎖樋ユニット２を連結させて、鎖樋１全体の長さを調節する。鎖樋１全体の長さが適切に調整されたところで、最下部の鎖樋ユニット２に先端部を地面に固定又は下方に安定させる部材を装着して鎖樋１が完成する。
【００３５】
次に、上記のようにして組み立てられた鎖樋ユニット２ないし設置された鎖樋１の作用について説明する。
雨天時において、雨水が軒樋の集水部（不図示）に流れると、その雨水は、集水部から鎖樋１の最上部の鎖樋ユニット２に直接に滴下するか、又は吊下部材に連結した最上部の鎖樋ユニット２の上鎖部材４を伝って、最上部の飾りカバー部材３のカバー本体６の内壁面６ａに流れる。
飾りカバー部材３のカバー本体６は、上方に向かって漸次拡開した筒形状に形成されているため、集水部から流れくる雨水を極力漏らさずに受ける。
【００３６】
最上部の鎖樋ユニット２で受けた雨水は、飾りカバー部材３のカバー本体６の内壁面６ａに流れ、カバー本体６に形成された係合溝９により該係合溝９に集水されながら下方に導かれて係止壁７の上面を流れる。
さらに、係止壁７の上面を流れてきた雨水は、図６に示す係止壁７の開口部１６から下方に連結された飾りカバー部材３内腔に直接滴下するか、又は、係止壁７に連設された下鎖部５を伝って下方に流れる。この際、雨水は、係止壁７によって飾りカバー部材３の中心部に集められ、外方への拡散が抑えられた状態で下方に連結した上鎖部材４に伝わり、該上鎖部材４が装着された飾りカバー部材３内に流れ落ちる。
【００３７】
本実施形態の鎖樋ユニット２は、前述の構成を採用することにより、上鎖部材４の飾りカバー部材３への装着において、上鎖部材４を飾りカバー部材３の内部に脚部４ｃから挿入し、係止部４ｄ、４ｄを係止壁７の下方まで押し込むだけで、上鎖部材４の弾性復帰力によって切欠部１０、１０に脚部４ｃ、４ｃを嵌合させ、さらに、上鎖部材４を上方に軽く引っ張るだけで、係止壁７の下面に係止部４ｄ、４ｄを係合することができるため、容易に上鎖部材４の飾りカバー部材３への位置決めをしつつ、簡便操作で取り付けられるという効果を奏する。
また、上鎖部材４の飾りカバー部材３からの取り外しにおいても、上鎖部材４の肩部４ｂをやや弾性変形させて飾りカバー部材３の下方に押し込み、係止部４ｄ、４ｄの係止壁７への係合を外し、係止部４ｄ、４ｄを係止壁７の内腔へ軽く押し込むだけで、上鎖部材４の弾性復帰力により簡単に取り外しができるという効果を奏する。
【００３８】
また、カバー本体６の下端の内壁面６ａ及び係止壁７に囲まれた溝１７に係止部４ｄが嵌合される構造を採用しているため、係止部４ｄと係止壁７との係合が強固になり、上鎖部材４を人が意図的に取り外そうとしないかぎり、風等の自然の外力によっては、上鎖部材４が飾りカバー部材３から容易に外れないという効果を奏する。
【００３９】
また、係合溝９によって、上鎖部材４の飾りカバー部材３からの装着・離脱時に、上鎖部材４の脚部４ｃを挿入しやすくなり、脚部４ｃが飾りカバー部材３に保持されやすく、不用意に動くのを押さえて上鎖部材４の飾りカバー部材３への固定を補助するという効果を奏する。
【００４０】
さらに、上鎖部材４の連結部４ａに係止突起１５ａ、１５ｂが形成されているため、上鎖部材４と連結する他の鎖樋ユニット２の下鎖部５が、空間Ｙ内に留まり、鎖樋１に風等の外力が加わった場合にあっても、過度に鎖樋１が揺れ動くことが回避され、鎖樋ユニット２の部材どうしがぶつかって、部材を損傷させたり、建物その他周囲に存在するものを損傷させたりすることを回避できるという効果を奏する。
さらに、係止部４ｄが、脚部４ｃから、カバー本体６の内壁面６ａに略沿う２方向に突出して形成されているため、係止を安定確実にすることができるという効果を奏する。
【００４１】
本実施形態においては、係止壁７は、水平張出部７ａと垂下壁部７ｂとから構成され、この際、垂下壁部７ｂの内径が上下方向に同一径とされているが、この垂下壁部７ｂの内径寸法を下方へ向けて漸次小径となるように構成すれば、この鎖樋ユニット２を伝って下方へ滴下又は流下する雨水が内方へより絞られた状態で下方の鎖樋ユニット２に導かれるので、雨水の外方への拡散を防止でき、雨水を良好に下方へ導くことができるという効果を奏する。
【符号の説明】
【００４２】
１    鎖樋
２    鎖樋ユニット
３    飾りカバー部材
４    上鎖部材
４ａ  上鎖部材の連結部
４ｃ  脚部
４ｄ  係止部
５    下鎖部
６    カバー本体
６ａ  カバー本体の内壁面
７    係止壁
９    係合溝
１０  切欠部
１５ａ、１５ｂ  係止突起
【図１】
2010285830.tif 000003
【図２】
2010285830.tif 000004
【図３】
2010285830.tif 000005
【図４】
2010285830.tif 000006
【図５】
2010285830.tif 000007
【図６】
2010285830.tif 000008
【図７】
2010285830.tif 000009